(57)【要約】【目的】  放送波を受信する小型携帯装置に好適な電池パック及び放送波を受信することができる携帯型電話装置を提供する。【構成】  本体ユニット１の電池パック収容部１ａ内にチューナユニット２及び電池パック３を順次に収容することができる。電池パック３にはアンテナ３ａが設けられている。電池パック３の裏面上端側には当該アンテナ３ａで発生した受信信号を出力するアンテナ信号出力端子３ｅが形成されている。前記アンテナ３ａは円盤状の支持部３ｂにて回動可能に支持され、この支持部３ｂはクリック機構３ｃに連結されている。チューナユニット２はＴＶ放送波を受信する。チューナユニット２の表面側の上縁部には第１アンテナ信号入力端子２ａが設けられている。この第１アンテナ信号入力端子２ａには、電池パック３の装着時、前記アンテナ信号出力端子３ｅが接触する。【選択図】      図２
2005056753.tif 000002
【特許請求の範囲】
【請求項１】
アンテナ及び当該アンテナで発生した受信信号を出力するアンテナ信号出力端子を備えたことを特徴とする電池パック。
【請求項２】
請求項１に記載の電池パックにおいて、前記アンテナは支持機構にて回動可能に支持されたことを特徴とする電池パック。
【請求項３】
請求項２に記載の電池パックにおいて、パック筐体部には前記アンテナを収容する収容凹部が形成されており、前記支持機構はアンテナ起立用の第１のクリック位置と当該第１のクリック位置に対して略１８０°回動したアンテナ収容側の第２のクリック位置とを形成するように構成され、前記第１のクリック位置は前記収容凹部を基準に１８０°未満で前記アンテナが前記収容凹部上で第２のクリック位置方向へ付勢される角度範囲に設定されていることを特徴とする電池パック。
【請求項４】
放送波を受信選局するチューナ機能部を備えた携帯型電話装置であって、請求項１乃至請求項３のいずれかに記載の電池パックが装着される電池パック収容部を有し、前記チューナ機能部は前記電池パックのアンテナ信号出力端子に接触するアンテナ信号入力端子を有していることを特徴とする携帯型電話装置。
【請求項５】
請求項４に記載の携帯型電話装置において、前記チューナ機能部は携帯型電話装置本体部に対して着脱可能に設けられるユニット構造を有することを特徴とする携帯型電話装置。
【請求項６】
放送波を受信選局するチューナ機能部を備えた携帯型電話装置であって、前記チューナ機能部は内蔵アンテナ受信信号又はイヤホンコードをアンテナとして得た受信信号と外部アンテナにて得られた受信信号とをダイバシティに利用するように構成されたことを特徴とする携帯型電話装置。
【請求項７】
請求項６に記載の携帯型電話装置において、前記外部アンテナは請求項１乃至請求項３のいずれかに記載の電池パックに設けられているアンテナであり、前記チューナ機能部は前記電池パックのアンテナ信号出力端子に接触するアンテナ信号入力端子を有していることを特徴とする携帯型電話装置。
【請求項８】
請求項７に記載の携帯型電話装置において、前記チューナ機能部は携帯型電話装置本体部に対して着脱可能に設けられるユニット構造を有し、且つ当該ユニット裏面には他のアンテナ信号入力端子を有し、前記電池パックが装着される電池パック収容部には前記内蔵アンテナ受信信号又は前記イヤホンコードをアンテナとして得た受信信号を出力するアンテナ信号出力端子が形成され、このアンテナ信号出力端子に前記他のアンテナ信号入力端子が接触するように構成されたことを特徴とする携帯型電話装置。
【請求項９】
請求項４、請求項５、請求項７、又は請求項８に記載の携帯型電話装置において、前記アンテナ信号入力端子はピン形状を有していることを特徴とする携帯型電話装置。
【発明の詳細な説明】
【技術分野】
【０００１】
この発明は携帯型電話装置及び携帯型電話装置などに利用される電池パックに関する。
【背景技術】
【０００２】
近年、携帯電話においてはディスプレイの大画面化やカメラ機能の搭載等、映像機能の強化が図られてきている。更に、ＴＶチューナ機能を備え、前記ディスプレイにて放送映像の視聴を可能にすることも試みられている。なお、追加モジュールを組み込み可能とした携帯電話装置（特許文献１参照）、イヤホンコードをダイバシティ用の第２のアンテナとした携帯無線機（特許文献２参照）、ページャが装着される外部アンテナ装置（特許文献３参照）が知られている。
【特許文献１】特開平９−３６９４１号公報
【特許文献２】特開昭６１−２８１７２４号公報
【特許文献３】特開平６−１４０９６３号公報
【発明の開示】
【発明が解決しようとする課題】
【０００３】
ところで、放送波を受信することを本来的な機能としていない小型携帯装置にチューナ機能を備えて放送受信することにおいては、既存の本来機能部の基本構成に大幅な変更を生じることなしに、良好に放送波を受信できるようにすることが望まれる。
【０００４】
この発明は、放送波を受信する小型携帯装置に好適な電池パック及び放送波を受信することができる携帯型電話装置を提供することを目的とする。
【課題を解決するための手段】
【０００５】
この発明の電池パックは、アンテナ及び当該アンテナで発生した受信信号を出力するアンテナ信号出力端子を備えたことを特徴とする。
【０００６】
かかる構成であれば、当該電池パックが装着される装置における本来機能部の基本構成において大幅な変更を生じることなしに良好に電波を受信することが可能になる。
【０００７】
前記アンテナは支持機構にて回動可能に支持されているのがよい。また、パック筐体部には前記アンテナを収容する収容凹部が形成されており、前記支持機構はアンテナ起立用の第１のクリック位置と当該第１のクリック位置に対して略１８０°回動したアンテナ収容側の第２のクリック位置とを形成するように構成され、前記第１のクリック位置は前記収容凹部を基準に１８０°未満で前記アンテナが前記収容凹部上で第２のクリック位置方向へ付勢される角度範囲に設定されているのがよい。このように、アンテナが収容凹部において第２のクリック位置方向へ付勢されることにより、アンテナはアンテナ収容凹部でぐらつくことなく納まることになる。
【０００８】
また、この発明の携帯型電話装置は、放送波を受信選局するチューナ機能部を備えた携帯型電話装置であって、上述したいずれかの電池パックが装着される電池パック収容部を有し、前記チューナ機能部は前記電池パックのアンテナ信号出力端子に接触するアンテナ信号入力端子を有していることを特徴とする。また、かかる構成の携帯型電話装置において、前記チューナ機能部は携帯型電話装置本体部に対して着脱可能に設けられるユニット構造を有していてもよい。
【０００９】
また、この発明の携帯型電話装置は、放送波を受信選局するチューナ機能部を備えた携帯型電話装置であって、前記チューナ機能部は内蔵アンテナ受信信号又はイヤホンコードをアンテナとして得た受信信号と外部アンテナにて得られた受信信号とをダイバシティに利用するように構成されたことを特徴とする。
【００１０】
前記外部アンテナは前述したいずれかの電池パックに設けられているアンテナであり、前記チューナ機能部は前記電池パックのアンテナ信号出力端子に接触するアンテナ信号入力端子を有していてもよい。また、前記チューナ機能部は携帯型電話装置本体部に対して着脱可能に設けられるユニット構造を有し、且つ当該ユニット裏面には他のアンテナ信号入力端子を有し、前記電池パックが装着される電池パック収容部には前記内蔵アンテナ受信信号又は前記イヤホンコードをアンテナとして得た受信信号を出力するアンテナ信号出力端子が形成され、このアンテナ信号出力端子に前記他のアンテナ信号入力端子が接触するように構成されていてもよい。
【００１１】
アンテナ信号入力端子を備える構成においては、当該アンテナ信号入力端子はピン形状を有しているのがよい。
【発明の効果】
【００１２】
以上説明したように、この発明のアンテナ搭載の電池パックによれば、当該電池パックが装着される装置における本来機能部の基本構成において大幅な変更を生じることなしに良好に電波を受信することが可能になる。また、アンテナはアンテナ収容凹部でぐらつくことなく納まる。外部アンテナと内蔵アンテナ又はイヤホンコードを利用したダイバシティ機能によって電波受信性能が高まる。アンテナがイヤホンコードの場合、通常の電話機能としてのみ使う場合、つまり、放送用アンテナが必要ない場合は、全ての放送用アンテナを未装着とすることができるので、軽量化が図れる。
【発明を実施するための最良の形態】
【００１３】
以下、この発明の実施形態の携帯電話及び電池パックを図１乃至図３に基づいて説明する。
【００１４】
図１は携帯電話５の分解斜視図である。図２は携帯電話５を構成している本体ユニット１の背面を図示し、チューナユニット２の側面を図示し、電池パック３の背面側を斜視的に図示した分解図である。本体ユニット１には電池パック収容部１ａが形成されている。この電池パック収容部１ａ内にチューナユニット２及び電池パック３を順次に収容することができる。この収容状態では、電池パック３は本体ユニット１より少し盛り上がって位置することになる。
【００１５】
電池パック３にはアンテナ３ａが設けられている。そして、電池パック３の裏面上端側には当該アンテナ３ａで発生した受信信号を出力するアンテナ信号出力端子３ｅが形成されている。前記アンテナ３ａは円盤状の支持部３ｂにて回動可能に支持されている。支持部３ｂはクリック機構３ｃに連結されている。クリック機構３ｃはクリック位置では比較的弱い力で位置保持を行い、クリック位置から外れた状態では自由な回動を許容する構造になっている。また、電池パック３の筐体部の右縁側にはアンテナ３ａを収容する収容凹部３ｄが縦方向に形成されている。そして、前記クリック機構３ｃは、アンテナ起立用の第１のクリック位置と当該第１のクリック位置に対して略１８０°回動したアンテナ収容側の第２のクリック位置とを形成するように構成され、前記第１のクリック位置は前記収容凹部３ｄにおける長手ラインを基準に１８０°未満で前記アンテナ３ａが前記収容凹部３ｄ上で第２のクリック位置方向へ付勢される角度範囲（例えば、１５０°程度）に設定されている。このように、アンテナ３ａが収容凹部３ｄにおいて第２のクリック位置方向へ付勢されることにより、アンテナ３ａは収容凹部３ｄでぐらつくことなく納まることになる。
【００１６】
チューナユニット２はＴＶ放送波（アナログ放送波或いはディジタル放送波）を受信する。チューナユニット２の表面側の上縁部には第１アンテナ信号入力端子２ａが設けられている。この第１アンテナ信号入力端子２ａはピン形状を成して基板から突出しており、図示しない弾性体にて突出方向に付勢されている。第１アンテナ信号入力端子２ａには、電池パック３の装着時、当該電池パック３の裏面に形成されたアンテナ信号出力端子３ｅが接触する。また、チューナユニット２の裏面側の上縁部には第２アンテナ信号入力端子２ｂが設けられている。この第２アンテナ信号入力端子２ｂはピン形状を成して基板から突出しており、図示しない弾性体にて突出方向に付勢されている。
【００１７】
本体ユニット１の電池パック収容部１ａ内には、電池パック３の電源端子３ｆとの間で電力の送受を行う電源端子１ｅや前記チューナユニット２のバス端子２ｃに接続されるバス端子１ｆ等が設けられている。なお、バス端子２ｃ・１ｆに本体ユニット１からチューナユニット２へ電力を供給するための電源端子を設けているが、このような構成には限定されない。また、電池パック収容部１ａ内には、チューナユニット２の装着時にその第２アンテナ信号入力端子２ｂが接触することになるアンテナ信号出力端子１ｂが形成されている。アンテナ信号出力端子１ｂは信号線１ｄによってイヤホンジャック１ｃのグランド端子に接続されている。このグランド端子は、コイルＬを介してグランド接続されており、イヤホン６のコード６ａがアンテナとなって得た受信信号はグランドされずに前記アンテナ信号出力端子１ｂに導かれる。更に、イヤホン６において、Ｌ，Ｒ音声信号線の他、スイッチ線やマイク線等が設けられる場合には、これら線に繋がるイヤホンジャック１ｃの端子にもコイルを直列接続し、各回路に対して受信信号を遮断するようにしている。
【００１８】
図３に携帯電話５の回路構成を示している。ＡＣアダプタ（充電器）４に携帯電話１がセットされると、ＡＣアダプタ（充電器）４から本体ユニット１の電源部１０に電力供給が行われる。そして、電源部１０は電池パック３の電池（二次電池）３０との間で電力の送受を行うと共に前記チューナユニット２に電力供給を行う。携帯電話ＣＰＵ１１には通信処理部１２、キー操作部１３、画像信号処理部１４等が接続されており、電話通信に必要な処理やキー操作に対応した処理を実行する。また、画像信号処理部１４は、ＣＣＤ（荷電結合素子）１５からの画像信号を処理して例えばＲＧＢ（ディジタル）信号を生成し、このＲＧＢ信号をビデオ切替部１７を介して液晶表示パネル１６に供給する。ビデオ切替部１７は携帯電話ＣＰＵ１１の指令に基づいてＣＣＤ画像を液晶表示パネル１６に供給するか或いはチューナユニット２からの放送受信画像を液晶表示パネル１６に供給するかを切り替える。また、オーディオ切替部１８は、電話音声データと放送受信音声データとを入力し、携帯電話ＣＰＵ１１の指令に基づいていずれかを選択して音声信号を生成し、スピーカ或いはイヤホンジャック（１ｃ）に供給するようになっている。
【００１９】
チューナユニット２におけるチューナ部２２は、第１アンテナ信号入力端子２ａから供給されるアンテナ３ａの受信信号と第２アンテナ信号入力端子２ｂから供給されるイヤホンコード６ａによる受信信号の両方を入力することができ、両信号における各々の信号品質を比較して良い方の信号を選択したり、或いは、両信号を合成して好適な信号を造りだすといったダイバシティ処理を実行するようになっている。ＴＶ音声画像処理ＣＰＵ２１はチューナ部２２が受信選択（同調・復調）して生成した放送ストリームを入力して処理を行う。ＴＶ音声画像処理ＣＰＵ２１におけるＣＰＵ部２１ａは、携帯電話ＣＰＵ１１にバス接続される。携帯電話ＣＰＵ１１はキー操作情報を前記バスを通じてＣＰＵ部２１ａに送信する。ＣＰＵ部２１ａは放送受信音声・画像の符号／復号処理や前記キー操作情報に基づく各種の処理（チャンネル制御等）を実行する。ＴＶ音声画像処理ＣＰＵ２１における画像処理部２１ｂは、ＣＰＵ部２１ａの指令を受けて放送受信画像の拡大・縮小処理や回転処理を行う。画像処理部２１ｂの画像出力端子は本体ユニット１のビデオ切替部１７に接続される。また、前記ＣＰＵ部２１ａは放送受信音声として例えばＡＡＣオーディオ信号を音声端子から出力するように構成される。この音声端子は本体ユニット１のオーディオ切替部１８に接続される。システム部２３はバス上への受信音声・画像（ストリーム）供給、各回路やメモリのクロック制御等を行う。また、放送受信画像の録画時、ＣＰＵ部２１ａによって受信音声・画像（ストリーム）がメモリに格納される。
【００２０】
以上説明したように、チューナユニット２へは電池パック３のアンテナ３ａにて放送受信信号を与えることとしたので、チューナユニット２自体或いは本体ユニット１にアンテナを設ける構成に比べてチューナユニット２や本体ユニット１の基本構成には大幅な変更は生じないことになる。
【００２１】
また、この実施形態では、収容凹部３ｄを段状で平らな形状ではなく半円形状としている。このような半円形状等を採用すると収容凹部３ｄのサイドに凸状部が形成された構造となるので、アンテナ３ａが不用意にサイド側にはみ出るといったことも防止できる。また、この実施形態では、アンテナ信号入力端子２ａ・２ｂとしてピン状部材を用いている。ピン状部材に替えて例えば板ばね状部材を採用することができる。本実施例では、ピン形状の端子が信号伝送特性上、優れていたので採用したが、信号伝送特性上、問題のない形状であれば、他の形状の端子としてもよい。
【００２２】
また、チューナユニット２はイヤホンコード６ａをアンテナとして得た受信信号と外部アンテナ（この実施形態ではアンテナ３ａ）にて得られた受信信号との両方を用いてダイバシティ機能を実行するので、このダイバシティ機能によって放送受信が良好に行えることになる。イヤホンコード６ａをアンテナとする場合に限らず、内蔵アンテナと外部アンテナとでダイバシティ機能を実行するようにしてもよい。例えば、図１及び図２に示すように、アンテナＡを放送受信用の内蔵アンテナとし、携帯電話用アンテナは本体ユニット１内に設けた図示しないチップアンテナとすることが考えられる。なお、外部アンテナとはチューナユニット２や本体ユニット１に既設内蔵のアンテナを含まない意味で用いている。また、放送波はテレビ放送波に限らず、ラジオ放送波を含む。
【図面の簡単な説明】
【００２３】
【図１】この発明の実施形態の携帯電話を示した分解斜視図である。
【図２】この発明の実施形態の携帯電話を示した分解図である。
【図３】この発明の実施形態の携帯電話を示したブロック図である。
【符号の説明】
【００２４】
１    本体ユニット
１ａ  電池パック収容部
１ｂ  アンテナ信号出力端子
２    チューナユニット
２ａ  第１アンテナ信号入力端子
２ｂ  第２アンテナ信号入力端子
３    電池パック
３ａ  アンテナ
３ｅ  アンテナ信号出力端子
３ｃ  クリック機構
３ｄ  収容凹部
５    携帯電話
６    イヤホン
【図１】
2005056753.tif 000003
【図２】
2005056753.tif 000004
【図３】
2005056753.tif 000005